(57)【要約】【課題】ケース外に引き出された光伝送線に弛みがある場合に、その弛みをケース外に簡単に保持できる光伝送線分岐部収納ケースを提供する。【解決手段】ケース本体２２が底板１８と外周壁２０とを有する。外周壁２０の４つのコーナー部のうちの１つのコーナー部付近に幹側光伝送線１２の引出部２６を設け、引出部２６から遠い方の２つのコーナー部に光伝送線の保持部２８を設ける。保持部２８は、周方向に離して設けられた、外周壁の上端縁側から光伝送線を抱える上側抱持片３０と下端縁側から光伝送線を抱える下側抱持片３２とで構成される。【選択図】図１
2007121366.tif 000002
【特許請求の範囲】
【請求項１】
底板と、その底板の周辺から立ち上がる外周壁とを有するケース本体の、前記外周壁の一部に光伝送線の引出部を設けた光伝送線分岐部又は接続部収納ケースにおいて、前記外周壁の４つのコーナー部のうちの１つのコーナー部付近に前記引出部を設け、前記外周壁の残る３つのコーナー部のうちの少なくとも２つのコーナー部の外側に、光伝送線の保持部を設けたことを特徴とする光伝送線分岐部又は接続部収納ケース。
【請求項２】
前記保持部は、前記引出部から遠い方の２つのコーナー部に設けられていることを特徴とする請求項１記載の光伝送線分岐部又は接続部収納ケース。
【請求項３】
前記保持部は、周方向に離して設けられた、外周壁の上端縁側から光伝送線を抱える上側抱持片と下端縁側から光伝送線を抱える下側抱持片とで構成されていることを特徴とする請求項１又は２記載の光伝送線分岐部又は接続部収納ケース。
【発明の詳細な説明】
【技術分野】
【０００１】
本発明は、光伝送線の分岐部又は接続部を収納するケースに関するものである。
【背景技術】
【０００２】
集合住宅などに光通信用の光コードを配線する場合には、局側の光コードを複数本の加入者側の光コードに分岐する光スプリッタが配線盤等に設置される。光スプリッタで光コードを分岐する部分はケースに収納して保護される。
【０００３】
また、多心光ファイバ心線を複数本の単心光ファイバ心線に分岐する場合も、分岐部はケース内に収納して保護される（特許文献１）。
【０００４】
また、光コード又は光ファイバ心線等を接続する場合にも、接続部はケース内に収納して保護される。
【０００５】
上記のように、光コード、光ファイバ心線等からなる光伝送線の分岐部をケースに収納して保護する場合、枝側の光伝送線は、配線長さが不確定であったり、不揃いであったりするため、ある程度の余長をもたせて、その余長を分岐部収納ケースとは別に設けた余長収納ケースに収納する場合が多い。一方、幹側の光伝送線は、その余長を分岐部収納ケースに収納する場合と、分岐部収納ケースとは別に設けた余長収納ケースに収納する場合とがある。
【０００６】
また、光伝送線の接続部をケースに収納して保護する場合には、接続部の元側の光伝送線の余長を収納するケースと、接続部の先側の光伝送線の余長を収納するケースとを別に設けて、接続部の両側の光伝送線の余長をそれぞれのケースに分けて収納することが多い。
【０００７】
【特許文献１】特許第３３７８４６６号公報
【発明の開示】
【発明が解決しようとする課題】
【０００８】
しかし、光伝送線の分岐部を収納する場合、幹側の光伝送線の余長を分岐部収納ケースに収納したり、分岐部収納ケースとは別に設けた余長収納ケースに収納したりすると、ケース全体が大型化するという難点がある。そこで、分岐部収納ケースの小型化のため、幹側の光伝送線の余長をケースに収納しないこととすると、ケース外に引き出された幹側光伝送線にたるみが発生して、分岐部収納ケースの近くで他の作業を行う際に、邪魔になったり、損傷を受けたりするおそれがある。
【０００９】
光伝送線の接続部収納ケースでも同様のことがいえる。
【００１０】
本発明の目的は、ケース外に引き出された光伝送線に弛みがある場合に、その弛みをケース外に簡単に保持できるようにして、光伝送線分岐部又は接続部収納ケースを小型化することにある。
【課題を解決するための手段】
【００１１】
上記目的を達成するため本発明は、底板と、その底板の周辺から立ち上がる外周壁とを有するケース本体の、前記外周壁の一部に光伝送線の引出部を設けた光伝送線分岐部又は接続部収納ケースにおいて、前記外周壁の４つのコーナー部のうちの１つのコーナー部付近に前記引出部を設け、前記外周壁の残る３つのコーナー部のうちの少なくとも２つのコーナー部の外側に、光伝送線の保持部を設けたことを特徴とするものである。
【００１２】
本発明において、前記保持部は、前記引出部から遠い方の２つのコーナー部に設けられていることが好ましい。
【００１３】
また本発明において、前記保持部は、周方向に離して設けられた、外周壁の上端縁側から光伝送線を抱える上側抱持片と下端縁側から光伝送線を抱える下側抱持片とで構成されていることが望ましい。
【発明の効果】
【００１４】
本発明によれば、分岐部又は接続部収納ケース外に引き出された光伝送線に弛みがある場合には、その光伝送線を分岐部又は接続部収納ケースの外周壁の外側にループ状に巻いて保持部に保持させることにより、弛みを少なくすることができる。このため分岐部又は接続部収納ケースの近くで他の作業を行う際に、弛んだ光伝送線が邪魔になったり、損傷を受けたりするおそれがなくなる。また、これにより分岐部又は接続部収納ケースに光伝送線の余長を収納しなくて済むので、分岐部又は接続部収納ケースを小型化できる。
【００１５】
前記光伝送線の保持部は、光伝送線の引出部から遠い方の２つのコーナー部に設けることが、少ない保持部で光伝送線を安定的に保持するのに有効である。
【００１６】
また、光伝送線の保持部は、周方向に離して設けられた、外周壁の上端縁側から光伝送線を抱える上側抱持片と下端縁側から光伝送線を抱える下側抱持片とで構成すると、光伝送線を保持させる作業をきわめて容易に行うことができる。
【発明を実施するための最良の形態】
【００１７】
図１ないし図３は本発明に係る光伝送線分岐部又は接続部収納ケースの一実施形態を示す。この実施形態は、１本の幹側光伝送線１２を光スプリッタ１４で複数本の枝側光伝送線１６に分岐する部分を収納する分岐部収納ケース１０に本発明を適用した場合である。分岐部収納ケース１０は、ほぼ長方形の底板１８の周辺に外周壁２０を立ち上げてなるケース本体２２と、このケース本体２２に被せられる蓋体２４とから構成される。図１（Ａ）は蓋体を取り除いた状態が示されている。
【００１８】
ケース本体２２の外周壁２０は、底板１８と同様に４つのコーナー部を有しており、そのうちの１つのコーナー部はほぼ直角に曲がっており、他の３つのコーナー部は円弧状に曲がっている。外周壁２０の直角に曲がったコーナー部付近には、幹側光伝送線１２を底板１８の長辺方向に引き出す引出部２６が設けられている。この分岐部収納ケース１０は通常、配線盤の奥壁などに図１（Ａ）のような状態で取り付けられるので、引出部２６は、幹側光伝送線１２を分岐部収納ケース１０の下辺から下に向けて引き出すように形成されている。
【００１９】
外周壁の４つのコーナー部のうち、引出部２６から遠い方の２つのコーナー部（すなわち分岐部収納ケース１０の上辺側の２つのコーナー部）の外側には、幹側光伝送線１２を保持する保持部２８が設けられている。保持部２８は、周方向に離して設けられた上側抱持片３０と下側抱持片３２とで構成されている。上側抱持片３０は外周壁２０の上端縁側から光伝送線１２を抱えるように形成され、下側抱持片３２は外周壁２０の下端縁側から光伝送線１２を抱えるように形成されている。
【００２０】
一方、蓋体２４は、この例ではケース本体２２のほぼ４分の３周を覆う形に形成されている（図２参照）。蓋体２４の内周縁には、図３に示すように、下向きに内周壁３４が形成されている。蓋体２４には、内周壁３４の一部を切り欠いて枝側光伝送線１６の引出部３６が形成されている。蓋体２４のケース本体２２への取り付けは、図３に示すように、ケース本体２２の底板１８上に突設した筒部３８の穴４０に、蓋体２４の内面に突設した棒状突起４２を嵌合させることにより行う。
【００２１】
以上が光伝送線分岐部収納ケース１０の構成である。この分岐部収納ケース１０に、光伝送線を分岐する光スプリッタ１４を収納する場合には、まずケース本体２２を配電盤の奥壁等に固定する。符号４４は固定用のボルト穴である。次に光スプリッタ１４をケース本体２２に収納し、幹側光伝送線１２を引出部２６からケース外に引き出す。幹側光伝送線１２の先端には予め光コネクタ４６が取り付けられている。その後、蓋体２４を被せて、引出部３６から枝側の複数本の光伝送線１６をまとめて引き出す。枝側光伝送線１６の余長は通常、１本ずつ余長収納ケース（図示せず）に収納される。
【００２２】
その後、幹側光伝送線１２のコネクタ４６を相手方コネクタに接続し、幹側光伝送線１２に弛みが生じる場合には、引出部２６付近の幹側光伝送線１２を、図１のように分岐部収納ケース１０の周りにループ状に丸めて保持部２８に保持させる。保持部２８は、上側抱持片３０と下側抱持片３２とで構成されているため、光伝送線１２を上側抱持片３０と下側抱持片３２の内側へ交互に入れ込むだけで、簡単に保持させることができる。これにより、分岐部収納ケース１０外に引き出された光伝送線１２の弛みを少なくすることができるので、分岐部収納ケース１０の近くで他の作業を行う際に、弛んだ光伝送線が邪魔になったり、損傷を受けたりするおそれがなくなる。
【００２３】
以上の実施形態では、光伝送線分岐部収納ケースに光スプリッタを収納する場合を説明したが、本発明はこれに限られるものではなく、例えば、多心光ファイバ心線を複数本の単心光ファイバ心線に分岐する部分を収納する場合にも適用可能である。また本発明は、光伝送線の接続部を収納する光伝送線接続部収納ケースにも同様に適用可能である。
【図面の簡単な説明】
【００２４】
【図１】本発明に係る光伝送線分岐部又は接続部収納ケースの一実施形態を、蓋体を外した状態で示す正面図。
【図２】図１の光伝送線分岐部収納ケースを、蓋体を取り付けた状態で示す斜視図。
【図３】図２の光伝送線分岐部収納ケースの分解斜視図。
【符号の説明】
【００２５】
１０：光伝送線分岐部又は接続部収納ケース
１２：幹側光伝送線
１４：光スプリッタ
１６：枝側光伝送線
１８：底板
２０：外周壁
２２：ケース本体
２４：蓋体
２６：引出部
２８：保持部
３０：上側抱持片
３２：下側抱持片
【図１】
2007121366.tif 000003
【図２】
2007121366.tif 000004
【図３】
2007121366.tif 000005